【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
被検体の血液中の酸素飽和度を非侵襲的に測定するためのパルスオキシメーターであって、該センサーが、
少くとも２つの波長で測定用放射線を被検体の体の一部分に放射するための放射線源と、
前記被検体の体の一部分を通して透過した測定用放射線を受容するため、及び該放射線を電気形態に変換するためのディテクター又は各々のディテクターと、
前記放射線源又は各々のディテクターのいずれかと前記体の一部分の外側表面との間に位置した少くとも１つの放射線移送セクションと、
を含み、前記放射線移送セクションが、測定用放射線透過性端部であって、外側の体の表面に面する前記透過性端部の外側端部がいずれかの与えられた放射線源の表面領域又は各々の内側端部の表面領域より大きい表面領域を有する透過性端部と、前記端部間の測定用放射線を拡散的に反射する表面と、を含むことを特徴とするパルスオキシメーター。
【請求項２】
前記拡散的に反射する表面が、内側端部から外側端部に広がり、その断面形状が円形、楕円形又は多角形である内部表面を有するまっすぐな、斜めの又は弧状の漏斗体の形状である空洞部のジャケットの少くとも一部分であり、前記内側端部及び外側端部が互いに平行であるか又は互いに相対的な角度を形成するかのいずれかであり、そして前記外側端部が前記内側端部の表面領域に関して少くとも２倍である表面領域を有することを特徴とする請求項１に記載のパルスオキシメーターセンサー。
【請求項３】
前記外側端部が前記内側端部の表面領域に関して１０倍である表面領域を有することを特徴とする請求項２に記載のパルスオキシメーターセンサー。
【請求項４】
前記空洞が、少くとも大部分が拡散的に反射するジャケットを有することを特徴とする請求項２又は３に記載のパルスオキシメーターセンサー。
【請求項５】
前記漏斗体が対称的又は非対称的くさび体であって、第１のくさび体表面が内側及び外側端部の垂線により形成される角度の二等分線にほぼ直交し、少くとも前記第１のくさび体表面が拡散的に反射するくさび体であることを特徴とする請求項４に記載のパルスオキシメーターセンサー。
【請求項６】
前記空洞が全体が拡散的に反射するジャケットを有することを特徴とする請求項４に記載のパルスオキシメーターセンサー。
【請求項７】
前記漏斗体が弧状錐体である場合、前記内側及び外側端部が、その垂線が前記拡散的に反射する表面又はその前記錯体の側面上の伸長部に最大屈曲率で交差するように位置することを特徴とする請求項２又は３に記載のパルスオキシメーターセンサー。
【請求項８】
前記内側端部及び前記外側端部が、少くとも４５°の相対的角度を形成することを特徴とする請求項１〜３のいずれか１項に記載のパルスオキシメーターセンサー。
【請求項９】
前記相対的角度が少なくとも６０°であることを特徴とする請求項８に記載のパルスオキシメーターセンサー。
【請求項１０】
前記相対的角度が９０°であることを特徴とする請求項９に記載のパルスオキシメーターセンサー。
【請求項１１】
被検体の血液中の酸素飽和度を非侵襲的に測定するためのパルスオキシメーターであって、該センサーが、
少くとも２つの波長で測定用放射線を被検体の体の一部分に放射するための放射線源と、
前記被検体の体の一部分を通して透過した測定用放射線を受容するため、及び該放射線を電気形態に変換するためのディテクター又は各々のディテクターと、
前記放射線源又は各々のディテクターのいずれかと前記体の一部分の外側表面との間に位置した少くとも１つの放射線移送セクションと、
を含み、前記放射線移送セクションが、測定用放射線透過性端部であって、外側の体の表面に面する前記透過性端部の外側端がいずれかの与えられた放射線源又は各々のディテクターに対面する内側端に関して３０°〜１００°の間である角度を形成する透過性端部と、前記端部間の測定用放射線を拡散的に反射する表面と、を含むことを特徴とするパルスオキシメーター。
【請求項１２】
外側の体の表面に面する前記測定用放射線透過性端部の外側端がいずれかの与えられた放射線源又は各々のディテクターに対面する内側端に関して６０°〜９５°の間である角度を形成することを特徴とする請求項１１に記載のパルスオキシメーター。
【請求項１３】
外側の体の表面に面する前記測定用放射線透過性端部の外側端がいずれかの与えられた放射線源又は各々のディテクターに対面する内側端に関して９０°である角度を形成することを特徴とする請求項１２に記載のパルスオキシメーター。
【請求項１４】
前記拡散的に反射する表面が、内側端部から外側端部に広がり、その大部分が拡散的に反射する又は非対称なくさび状である斜めの漏斗体又は弧状漏斗体の形状である空洞部のジャケットの少くとも一部分であり、第１のくさび体表面が互いに関して内側及び外側端部の垂線により形成される角度の二等分線にほぼ直交し、少くとも前記第１のくさび体表面が拡散的に反射することを特徴とする請求項１１〜１３のいずれか１項に記載のパルスオキシメーターセンサー。
【請求項１５】
前記内側端部と前記放射線源及び各々のディテクターとの間に１又は複数の光学ファイバーからなるファイバーオプティック放射線導体が適合され、該ファイバーオプティック放射線導体がガラスファイバー又はいくつかの他の長波長赤外放射線透過性の１つ又は複数のファイバーからなることを特徴とする請求項１及び１１〜１３のいずれか１項に記載のパルスオキシメーターセンサー。
【請求項１６】
前記ディテクター及び／又は放射線源が前記内側端部に並んで位置し、その放射線センシティブ表面もしくはその各々の放射性表面、又は光学ファイバーの端部が前記拡散的に反射する表面に向けられていることを特徴とする請求項１及び１１〜１３のいずれか１項に記載のパルスオキシメーターセンサー。
【請求項１７】
前記拡散的に反射する表面が、到着する放射線の入射の角に対応する鏡反射離脱角以外の方向において、到達する放射線強度のバルクを散乱することを特徴とする請求項１及び１１〜１３のいずれか１項に記載のパルスオキシメーターセンサー。
【請求項１８】
前記拡散的に反射する表面がその質に関して均等拡散面に可能なだけ近いことを特徴とする請求項１７に記載のパルスオキシメーターセンサー。
【請求項１９】
前記拡散的に反射する表面が、その内側上に拡散的に反射する表面材料で被覆された空洞が供された固体材料からなり、又は前記拡散的に反射する表面が、部分的に放射線透過性で同時に拡散的に反射する材料からなり、そして前記内側及び外側端部の間の空隙が、前記拡散的に反射する表面上に測定用放射線透過性材料で満たされることを特徴とする請求項１及び１１〜１３のいずれか１項に記載のパルスオキシメーターセンサー。
【請求項２０】
前記測定用放射線透過材料が適切なガス又は透明なシリコーン化合物であることを特徴とする請求項１９に記載のパルスオキシメーターセンサー。
【請求項２１】
前記センサー内に：
（ａ）一体化した拡散的に反射する表面を有する前記ディテクター、及び前記放射線源；又は
（ｂ）前記ディテクター、及び一体化した拡散的に反射する表面を有する前記放射線源；又は
（ｃ）一体化した拡散的に反射する表面を有する前記ディテクター、及び一体化した拡散的に反射する表面を有する前記放射線源が、
互いに向かいあって、本質的に計測器内に位置し、それによりセンシティビティー方向と放射線方向とが互いに対して伸び、又は鈍角を共に形成して直接的透過を形成する、又は
並んで位置し、それにより前記センシティビティー方向と前記放射線方向が同じ方向に伸び、又は鋭角を共に形成して反射を形成する
ことを特徴とする請求項１及び１１〜１３のいずれか１項に記載のパルスオキシメーターセンサー。
【請求項２２】
少くとも２つの波長で測定用放射線を被検体の体の一部分に放射する放射線源と、前記被検体の一部分を通過した前記測定用放射線を受容するため、及び該放射線を電気形態に変換するためのディテクター又は各々のディテクターと、前記放射線源又は前記各々のディテクターのいずれかと前記体の一部分の外側表面との間に位置した少くとも１つの放射線伝導セクションと、を含む被検体の血液中の酸素飽和度を非侵襲的に測定するためのパルスオキシメーターの使用であって、
前記セクションが、空洞の前記測定用放射線を透過する端部に関して少くともその実質的なセクションにわたり測定用放射線を拡散的に反射するジャケットを有し、前記外側の体の表面に面する前記外側端が前記放射線源又は前記各々のディテクターに面する前記内側端部の表面領域より大きく、そして前記外側端部が測定するために被検体の外側の体の表面に接して配置されることを特徴とするパルスオキシメーターセンサーの使用。
【請求項２３】
測定が、被検体の体の血液含有部分を直接通過する放射線に基づいて行われ、それにより一体化された空洞を有する前記ディテクター及び前記放射線源、又は前記ディテクター及び一体化した空洞を有する放射線源が互いに向かいあって、互いと共に本質的に計測器内に位置し、センシティビティー方向と放射線方向とが互いに対して伸び、又は鈍角を共に形成することを特徴とする請求項２２に記載のパルスオキシメーターの使用。
【請求項２４】
測定が、被検体の体の血液含有部分の内側から反射する放射線に基づいて行われ、それにより一体化された空洞を有する前記ディテクター及び前記放射線源、又は前記ディテクター及び一体化された空洞を有する放射線源が並んで又は互いの中に位置し、センシティビティー方向と放射線方向とが同じ方向に伸び、又は鋭角を共に形成することを特徴とする請求項２２に記載のパルスオキシメーターの使用。
【請求項２５】
前記放射線源がファイバーオプティック放射線導体の手段により前記センサーから離れて位置し、及び／又は前記ディテクターがファイバーオプティック放射線導体の手段により前記センサーから離れて位置することを特徴とする請求項２２に記載のパルスオキシメーターの使用。